(57)【要約】【課題】  足と靴下との滑り止め、さらには靴下と靴や床などとの滑り止めを図る。【解決手段】  靴下本体１の足裏部４の内側と外側にそれぞれ足裏内側滑り止め部材７と足裏外側滑り止め部材８を設ける。靴下本体１のかかと部６の内側と外側にそれぞれかかと内側滑り止め部材９とかかと外側滑り止め部材10を設ける。足裏内側滑り止め部材７と足裏外側滑り止め部材８とを非対向位置に設ける。足裏部４において足Ｂと靴下本体１の滑りを少なくし、さらに靴下と靴Ａ或いは床などとの滑りを少なくして、靴下を履いたときの足に対しての足裏部４の安定感を向上することができる。かかと部６において足と靴下本体１の滑りを少なくし、さらに靴下と靴Ａとの滑りを少なくして、靴Ａを履いたときの足Ｂに対してのかかと部６における靴Ａの安定感を向上することができる。【選択図】図５
0003110455.tif 000002
【実用新案登録請求の範囲】
【請求項１】
靴下本体の足裏部の内側と外側にそれぞれ前記足裏部の内側滑り止め部材と前記足裏部の外側滑り止め部材を設けたことを特徴とする靴下。
【請求項２】
靴下本体のかかと部の内側と外側にそれぞれ前記かかと部の内側滑り止め部材と前記かかと部の外側滑り止め部材を設けたことを特徴とする靴下。
【請求項３】
前記内側滑り止め部材と前記外側滑り止め部材は前記靴下本体よりも摩擦係数の大きい材料により形成されていることを特徴とする請求項１又は２記載の靴下。
【請求項４】
前記内側滑り止め部材と前記外側滑り止め部材とを非対向位置に設けたことを特徴とする請求項１〜３のいずれか１項に記載の靴下。
【請求項５】
前記内側滑り止め部材と前記外側滑り止め部材とを前記靴下本体と一体な布地によって形成することを特徴とする請求項１〜４のいずれか１項に記載の靴下。
【請求項６】
前記靴下本体がストッキングであることを特徴とする請求項１〜５のいずれか１項に記載の靴下。
【請求項７】
前記内側滑り止め部材と前記外側滑り止め部材の少なくとも一方は、軟質部材であることを特徴とする請求項１〜６のいずれか１項に記載の靴下。
【考案の詳細な説明】
【技術分野】
【０００１】
本考案は、滑り止め機能を有する靴下に関するものである。
【背景技術】
【０００２】
従来、靴下の外側の接地面に、シリコンゴムなどの滑り止め素材をコーティングもしくは溶着し、床との摩擦を高め滑りにくく加工した靴下が公知である。（例えば、特許文献１、特許文献２、特許文献３、特許文献４）。特許文献１は、足裏面に多数の滑り止めを設けたものであり、特許文献２は、靴下の中にゴムやビニールの突起を設けたものであり、さらに特許文献３は、靴下外面の足底に滑り止めを設けたものである。また、特許文献４は、ストッキングやタイツの足裏やかかとに滑り止めを設けたものである。
【特許文献１】登録実用新案第３０９３３４７号公報
【特許文献２】登録実用新案第３０２０２７５号公報
【特許文献３】登録実用新案第３１０３５７０号公報
【特許文献４】登録実用新案第３０５７９８３号公報
【考案の開示】
【考案が解決しようとする課題】
【０００３】
しかし、靴下は伸縮性に富んでいるため、足と靴下の間に何の滑り止め機能もない状態では、床と靴下、靴と靴下の摩擦係数が一方的に高まると、足の動きが床、靴に適切に伝わらず、足と靴下がずれてしまうという欠点があった。
【０００４】
解決しようとする問題点は、足と靴下との滑り止め、さらには靴下と靴や床などとの滑り止めを図るようにする点である。
【課題を解決するための手段】
【０００５】
請求項１の考案は、靴下本体の足裏部の内側と外側にそれぞれ前記足裏部の内側滑り止め部材と前記足裏部の外側滑り止め部材を設けたことを特徴とする靴下である。
【０００６】
請求項２の考案は、靴下本体のかかと部の内側と外側にそれぞれ前記かかと部の内側滑り止め部材と前記かかと部の外側滑り止め部材を設けたことを特徴とする靴下である。
【０００７】
請求項３の考案は、前記内側滑り止め部材と前記外側滑り止め部材は前記靴下本体よりも摩擦係数の大きい材料により形成されていることを特徴とする請求項１又は２記載の靴下である。
【０００８】
請求項４の考案は、前記内側滑り止め部材と前記外側滑り止め部材とを非対向位置に設けたことを特徴とする請求項１〜３のいずれか１項に記載の靴下である。
【０００９】
請求項５の考案は、前記内側滑り止め部材と前記外側滑り止め部材とを前記靴下本体と一体な布地によって形成することを特徴とする請求項１〜４のいずれか１項に記載の靴下である。
【００１０】
請求項６の考案は、前記靴下本体がストッキングであることを特徴とする請求項１〜５のいずれか１項に記載の靴下である。
【００１１】
請求項７の考案は、前記内側滑り止め部材と前記外側滑り止め部材の少なくとも一方は、軟質部材であることを特徴とする請求項１〜６のいずれか１項に記載の靴下である。
【考案の効果】
【００１２】
請求項１の考案によれば、足裏部において足と靴下本体の滑りを少なくし、さらに靴下と靴或いは床などとの滑りを少なくして、靴下を履いたときの足の安定感を向上することができる。
【００１３】
請求項２の考案によれば、かかと部において足と靴下本体の滑りを少なくし、さらに靴下と靴との滑りを少なくして、靴を履いたときの安定感を向上することができる。
【００１４】
請求項３の考案によれば、大きな摩擦力を発揮して足と靴下と靴や床との滑りを可及的に少なくすることができる。
【００１５】
請求項４の考案によれば、足裏部やかかと部における最大厚みは、外側滑り止め部材と足裏内側滑り止め部材の高さを加えたものとならず薄く形成することができる。
【００１６】
請求項５の考案によれば、厚みをかえることなく滑り止め機能を発揮することができる。
【００１７】
請求項６の考案によれば、ストッキングが伸張してストッキングが滑ろうとしても、これを抑止することができる。
【００１８】
請求項７の考案によれば、滑り止め部材が常温において軟質部材であることによって、靴下と足、或いは靴下と靴や床などとの接触において軟着でき、快適性を向上することができる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜図５は実施例１を示しており、この実施例は靴下として伸縮性を有する繊維によって形成されるパンティストッキング，タイツを含むストッキングの場合を示している。ストッキングたる靴下本体１は、レッグ部２及びフット部３を一体編成した筒編地であって、フット部３は下部に足裏部４を形成すると共に上部に甲部５が形成され、さらに足裏部４の後方には上方へ立ち上がるかかと部６が形成されている。このかかと部６は立ち上がり部を含むものである。
【００２１】
そして、靴下本体１の足裏部４の内側、すなわち足裏部４の上部に足裏内側滑り止め部材７を設け、さらに足裏部４の外側、すなわち足裏部４の下部に足裏外側滑り止め部材８を設ける。足裏内側滑り止め部材７は、シリコンゴムなどの足裏部４の摩擦係数よりも摩擦係数が大きい滑り止め素材を点在するようにコーティングもしくは溶着等固着したものであり、足裏部４よりも内側へやや突設している。同様に足裏外側滑り止め部材８は、滑り止め素材を点在したもので、足裏部４よりも外側へやや突設している。
【００２２】
これにより靴下の接地部分において、内側と外側の相応する箇所に、シリコンゴムなどの滑り止め素材を必要に応じて十分な量と形状で接着（溶着、吹付け、電磁気を利用した固定方法を含む）等で固着している。これら滑り止め部材７，８は、履く人の体温或いは常温によって軟化し、足との接触において、又は靴Ａや床との接触においてしなやかな軟着が実現されることが望ましい。
【００２３】
さらに、足裏内側滑り止め部材７は足裏部４を介して足裏外側滑り止め部材８と対向しないように非対向位置に設けられている。
【００２４】
前記靴下本体１のかかと部６の内側にかかと内側滑り止め部材９を設け、さらにかかと部６の外側にかかと外側滑り止め部材10を設ける。かかと内側滑り止め部材９、かかと外側滑り止め部材10は、前記のような滑り止め素材を点在したもので、かかと部６よりも内側、外側へやや突設している。さらに、かかと内側滑り止め部材９はかかと部６を介してかかと外側滑り止め部材10と対向しないように非対向位置に設けられている。
【００２５】
尚、内側滑り止め部材７，９や外側滑り止め部材８，10はいずれか一方が軟質部材であればよい。
【００２６】
次に前記構成についてその作用を説明する。靴下本体１に脚を挿入して靴下をはいた状態で靴Ａを履くと、足Ｂと靴内底Ｃとの間には靴下本体１が介在し、さらに靴下本体１と足Ｂとの間には足裏内側滑り止め部材７が介在し、また靴下本体１と靴内底Ｃとの間には足裏外側滑り止め部材８が介在する。このため足Ｂの足裏において靴下の外側のみならず内側において足裏内側滑り止め部材７及び足裏外側滑り止め部材８によって滑り止め作用を発揮する。
【００２７】
同様に、足Ｂのかかとと靴Ａのかかととの間には靴下本体１が介在し、さらに靴下本体１と足Ｂのかかとの間にはかかと内側滑り止め部材９が介在し、また靴下本体１と靴Ａのかかととの間にはかかと外側滑り止め部材10が介在する。このため靴下の外側のみならず内側においてかかと内側滑り止め部材９及びかかと外側滑り止め部材10によって滑り止め作用を発揮する。
【００２８】
以上のように、前記実施例においては、請求項１に対応して、靴下本体１の足裏部４の内側と外側にそれぞれ足裏内側滑り止め部材７と足裏外側滑り止め部材８を設けたことによって、足裏部４において足Ｂと靴下本体１の滑りを少なくし、さらに靴下と靴Ａ或いは床などとの滑りを少なくして、靴下を履いたときの足に対しての足裏部４の安定感を向上することができる。
【００２９】
また、屋内で靴下で歩行するときに、足Ｂが靴下の内外の滑り止め機能でしっかりと床を捉え、昨今の滑りやすい洋風家屋の床を安全に歩くことに貢献する。靴下の外の接地面のみに滑り止めのついた靴下では、特に階段を昇降する時、足が靴下の中でずれて非常に不安定となる。
【００３０】
さらに、請求項２に対応して、前記靴下本体１のかかと部６の内側と外側にそれぞれかかと内側滑り止め部材９とかかと外側滑り止め部材10を設けたことによって、かかと部６において足と靴下本体１の滑りを少なくし、さらに靴下と靴Ａとの滑りを少なくして、靴Ａを履いたときの足Ｂに対してのかかと部６における靴Ａの安定感を向上することができる。
【００３１】
また、靴Ａを履いたときにその真価が発揮される。およそ歩行目的の靴（スポーツシューズを含む）は、かかとの位置がずれないかかとを前提に設計されている。かかとが正しい位置にあって初めて、靴Ａは期待された機能を十分に発揮することができる。しかし、日本は靴を頻繁に脱ぐ文化であることもあって、スリッポンシューズの愛好者が多く、紐靴Ａでも着脱にあたって紐を解かない場合が多い。そのため歩行時には甲の履き口部分をゆるく履いている分、足Ｂが靴の前へずれて、かかとに隙間が開いてしまっている。この傾向は、靴Ａのかかとの高さがあるものほど顕著で、この場合靴Ａの機能を発揮できないに止まらず、靴Ａによる足頭部の圧迫は外反母趾等、脚の障害の原因にもなっている。さらに、かかとが靴Ａのカウンターで正しくホールドされないと、歩くたびにかかとが脱げて不安定な歩行姿勢になるため、腰痛などの全身骨格バランス上の諸問題にも影響する。靴Ａのかかと部分には、本来かかとが浮くのを防ぐ滑りにくい素材が使ってある場合が多いが、それも足Ｂが靴Ａの前へ滑ってしまっては、かかと部に隙間が空いて何の役にもたたない。
【００３２】
そこで前記靴下を用いることによって、かかとと足Ｂ全体が靴Ａの設計上の位置に止まることになり、靴Ａの機能は正しく発揮され足腰も障害から守られる。
【００３３】
また、ゴム長靴を履いて、靴下が脱げてしまう経験をした人も多いが、これも靴下の内側に足との滑り止め機能を持った前記靴下によって防止できる。このように歩いても脱げにくい靴下を実現することになり、その結果ソックスの履き口のゴムをゆるくしても下がり難いという効果を生み、足首の血行を阻害しない靴下の提供にもつながる。
【００３４】
また、請求項３に対応して前記足裏内側滑り止め部材７と前記足裏外側滑り止め部材８、前記かかと内側滑り止め部材９と前記かかと外側滑り止め部材10は、前記靴下本体１よりも摩擦係数の大きいシリコンゴムなどの材料により形成されていることによって、靴Ａのかかととそのカウンター部分に大きな摩擦力を発揮して足Ｂと靴下と靴Ａとの滑りを可及的に少なくすることができる。
【００３５】
さらに、請求項４に対応して前記足裏内側滑り止め部材７と前記足裏外側滑り止め部材８とを非対向位置に設けたことによって、足裏内側滑り止め部材７と足裏外側滑り止め部材８とが足裏部４を介して重なってその厚みが足裏部４の厚みに足裏内側、外側滑り止め部材の高さをそれぞれ加えたものではなく、足裏部４における最大厚みＨは、足裏部４の厚みに足裏外側滑り止め部材８の高さを加えたもの、或いは足裏部４の厚みに足裏内側滑り止め部材７の高さを加えたものとなり、足裏部４を薄く形成することができる。同様に、前記かかと内側滑り止め部材９と前記かかと外側滑り止め部材10とを非対向位置に設けたことによって、かかと部６を薄く形成することができる。
【００３６】
しかも、請求項５に対応して前記足裏内側滑り止め部材７と前記足裏外側滑り止め部材８、前記かかと内側滑り止め部材９と前記かかと外側滑り止め部材10を、伸縮性を有する繊維によって形成されるストッキングに設けることにより、かかとの高さのある靴Ａを履いているとき、かかとを靴下のかかと部６に正しく止めることができ、ストッキングが伸張して足（ストッキング）が靴内で滑ろうとしても、これを抑止することができる。
【００３７】
また、請求項７に対応して内側滑り止め部材７，９と前記外側滑り止め部材８，10の少なくとも一方は、軟質部材であることによって、靴下と足Ｂ、或いは靴下と靴Ａや床などとの接触において軟着でき、快適性を向上することができる。
【実施例２】
【００３８】
図６及び図７は実施例２を示しており、前記実施例１と同一部分には同一符号を付し、その詳細な説明を省略する。実施例２においては、足裏内側滑り止め部材７や足裏外側滑り止め部材８等の滑り止め部材を、前記実施例１のようなゴムなどの材料ではなく、編地構成を換えることによって設けられるものであり、ストッキング形成用糸11を交編して得られる布地組織に、前記糸11よりも摩擦係数の大きい滑り止め部材を構成する滑り止め用糸条12を挿入して編み込まれて布地13が形成されており、この編組織の繰り返しで編成されているものである。
【００３９】
したがって、足裏部やかかとにおいて靴下の外側のみならず内側において滑り止め用糸条11があらわれた布地13で足と靴下、靴下と靴や床などとの滑り止め作用を発揮する。
【００４０】
以上のように、請求項５に対応して足裏部やかかとの内側滑り止め部材７,９と同じく外側滑り止め部材８,10とを前記靴下本体１と一体な布地13によって形成することで、厚みをかえることなく滑り止め機能を発揮することができる。
【産業上の利用可能性】
【００４１】
以上のように本考案にかかる靴下は種々の用途に適用できる。さらに、例えば滑り止め部材は、点在ではなく様々な意匠をあらわすようにしてもよいなど種々の変形が可能である。
【図面の簡単な説明】
【００４２】
【図１】本考案の実施例１を示す全体斜視図である。
【図２】本考案の実施例１を示す靴を履いた状態の全体斜視図である。
【図３】本考案の実施例１を示す靴下内側の要部の展開図である。
【図４】本考案の実施例１を示す靴下外側の要部の展開図である。
【図５】本考案の実施例１を示す靴下の断面図である。
【図６】本考案の実施例２を示す布地の拡大平面図である。
【図７】本考案の実施例２を示す布地の拡大断面図である。
【符号の説明】
【００４３】
１  靴下本体
４  足裏部
６  かかと部
７  足裏内側滑り止め部材
８  足裏外側滑り止め部材
９  かかと内側滑り止め部材
10  かかと外側滑り止め部材
13  布地
【図１】
0003110455.tif 000003
【図２】
0003110455.tif 000004
【図３】
0003110455.tif 000005
【図４】
0003110455.tif 000006
【図５】
0003110455.tif 000007
【図６】
0003110455.tif 000008
【図７】
0003110455.tif 000009